(57)【要約】 【課題】  被梱包品を収納して箱詰めした後に、特定の一部の付属品を容易に追加収納できるようにした梱包箱を提供する。その梱包箱を用いた物流方法並びに物流システムを提供する。【解決手段】  箱本体１の側面に、開放可能に封鎖された構成のポケット入口部２を設け、箱本体内に被梱包品と共に収納される緩衝材４には、付属品を収納保持するための空間を形成するよう収納部４ａを形成し、この収納部４ａが該ポケット入口部２に対応してその内側に位置するように配置する。箱本体１内への被梱包品と緩衝材を収納し、収納部４ａは空のままで、箱詰めを半完成させ、この状態で被梱包品収納済みの梱包箱を物流させ、別の場所で、ポケット入口部２を開き、追加の付属品を該開いたポケット入口部２から挿入・収納し、梱包製品を完成させる。【選択図】    図１
2005255214.tif 000002
【特許請求の範囲】
【請求項１】
被梱包品及びその付属品を収納するための箱本体と、
前記箱本体内に前記被梱包品と共に収納され、該被梱包品の移動及び又は荷崩れを防ぐための緩衝材と
を具備し、
前記箱本体の側面には、開放可能に封鎖された構成のポケット入口部を設け、
前記緩衝材には、前記付属品を収納保持するための空間を形成するよう収納部を形成し、
前記収納部が前記ポケット入口部に対応してその内側に位置するように、前記緩衝材を前記被梱包品と共に前記箱本体内に収納配置することを特徴とする梱包箱の構造。
【請求項２】
被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流方法であって、
第１の発送元で、前記箱本体内に前記被梱包品と所定の一部の付属品を除く他の付属品とを収納してなる前記箱体パケットを用意し、第２の発送元に向けて出荷する工程と、
前記第２の発送元で、前記第１の発送元から送られて来た前記箱体パケットの前記ポケット入口部を開けて、該ポケット入口部を介して内側の前記収納部に前記所定の一部の付属品を収納し、これにより前記被梱包品とすべての付属品を収納してなる箱体パケットを完成させる工程と、
前記完成された箱体パケットを、前記第２の発送元から所定の仕向け地に向けて出荷する工程と
を具備する物流方法。
【請求項３】
被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流方法であって、
前記箱本体内に前記被梱包品と所定の一部の付属品を除く他の付属品とを収納してなる前記箱体パケットを入荷する第１ステップと、
前記第１ステップで入荷した前記箱体パケットの前記ポケット入口部を開けて、該ポケット入口部を介して内側の前記収納部に前記所定の一部の付属品を収納し、これにより前記被梱包品とすべての付属品を収納してなる箱体パケットを完成させる第２ステップと、
前記完成された箱体パケットを、所定の仕向け地に向けて出荷する第３ステップと
を具備する物流方法。
【請求項４】
被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流システムであって、
前記箱本体内に前記被梱包品と所定の一部の付属品を除く他の付属品とを収納してなる前記箱体パケットを入荷し、入荷した箱体パケットを複数グループに分ける手段と、
各グループに分けられた箱体パケットに対して、該箱体パケットの前記ポケット入口部を開けて、該ポケット入口部を介して内側の前記収納部に当該グループに割り当てられた所定のタイプの前記所定の一部の付属品を収納する手段と
を具備し、こうして前記被梱包品とすべての付属品を収納してなる完成された箱体パケットを、各グループ毎に所定の仕向け地に向けて出荷するようにした物流システム。
【請求項５】
前記出荷の出荷情報を記録し管理する出荷記録管理手段を更に具備し、上記各グループ毎に所定の仕向け地に向けて出荷する際、上記出荷記録管理手段に記録させるようにしたことを特徴とする請求項４に記載の物流システム。
【発明の詳細な説明】
【技術分野】
【０００１】
この発明は、工場等で製造された製品など（広義には「被梱包品」）をその付属品と共に収納するのに適した梱包箱に関し、特に、出荷先によって仕様が異なることがあり得る付属品を効率的に収納することができるように工夫した梱包箱の構造に関する。更には、本発明は、そのような新規かつ有用な梱包箱を利用した物流方法並びに物流システムに関する。
【背景技術】
【０００２】
物流過程においては、製品は梱包箱に収納された状態で流通する。そのような梱包箱においては、製品本体のみならず、取扱説明書のような文書類あるいは電源コードや電源アダプタなど（電気製品の場合）などの付属部品など（これらを総称して「付属品」ということにする）も収納されるのが普通である。下記特許文献１においては、製品本体と付属品とを収納した梱包箱から、付属品のみを出し入れできるようにした構造に係る発明が示されている。そこにおいては、梱包箱がパーティションによって前面部と裏面部に仕切られ、裏面が折畳み構造の裏蓋からなっていて、この裏蓋を開け閉めすることで、取扱説明書のような文書類をパーティションによって仕切られた裏面部に出し入れすることができる。しかし、このような梱包箱は裏面部の構造が複雑であり、取扱いにくいものであり、また、製造コストもかかるものであった。また、このような構造を持つ梱包箱によって物流システムを改善することもできなかったし、思いもよらなかった。
【特許文献１】特開２０００−３２１７３１号公報
【発明の開示】
【発明が解決しようとする課題】
【０００３】
一例として、工業製品の効率的な生産と物流について考えてみた場合、製造コストの最も安い場所で集中して製品を生産し、これを世界的な規模で各地に出荷するようにするのが最も効率的である。そのような場合、集中生産の効率化の妨げになるものが、電気機器基準の相違や言語の相違などである。すなわち、製品本体は、ある程度全世界共通仕様のものを一括集中生産することができたとしても、商用電圧の相違や電力供給コードの差し込みプラグの形状の相違、あるいは取扱説明書の言語の相違などによって、一部の付属品は各国毎に異なるタイプのものを用いなければならない。そうすると、複数タイプの異なる仕様でパックされた完成製品をいちいち製作しなければならないという面倒があり、製造コストがかかる。また、そのような複数タイプの異なる仕様の完成製品を１か所で生産したとしても、間違いのないように適切に仕分けして物流させねばならないために、大変面倒となる。よって、現段階では、多くの工業製品等は、各国毎に個別に生産し物流させているのが実状である。
【０００４】
この発明は上述の点に鑑みてなされたもので、主たる被梱包品を収納して箱詰めした後に、特定の一部の付属品を容易に追加収納できるようにした梱包箱を提供しようとするものであり、また、そのような梱包箱を利用することで新規かつ有用な改善された物流方法並びに物流システムを提供しようとするものである。
【課題を解決するための手段】
【０００５】
この発明に係る梱包箱の構造は、被梱包品及びその付属品を収納するための箱本体と、前記箱本体内に前記被梱包品と共に収納され、該被梱包品の移動及び又は荷崩れを防ぐための緩衝材とを具備し、前記箱本体の側面には、開放可能に封鎖された構成のポケット入口部を設け、前記緩衝材には、前記付属品を収納保持するための空間を形成するよう収納部を形成し、前記収納部が前記ポケット入口部に対応してその内側に位置するように、前記緩衝材を前記被梱包品と共に前記箱本体内に収納配置することを特徴とする。
【０００６】
箱本体の側面には、開放可能に封鎖された構成のポケット入口部を設け、箱本体内に被梱包品と共に収納される緩衝材には、付属品を収納保持するための空間を形成するよう収納部を形成し、この収納部が該ポケット入口部に対応してその内側に位置するようにしたので、箱本体内への被梱包品と緩衝材の収納は済んだが、収納部は空のままで、当該梱包箱への被梱包品の箱詰めを一応完成させることができ、この状態で（収納部は空のままで）被梱包品収納済みの梱包箱を物流させることができる。ポケット入口部は開放可能に封鎖された構成（例えばミシン目などの半破り構成）からなるため、その後の物流過程で、容易に開口させることができ、開口させたポケット入口部から内部の収納部に必要な仕様の付属品を差し込むことで、梱包箱への被梱包品（製品）及びすべての付属品の収納を完成させることができる。このように、主たる被梱包品を収納して箱詰めした後に、特定の一部の付属品を容易に追加収納できるようにした梱包箱を提供することができる。このような梱包箱を利用することで、次に述べるように、新規かつ有用な改善された物流方法並びに物流システムを提供することができる。
【０００７】
すなわち、この発明に係る物流方法は、被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流方法であって、第１の発送元で、前記箱本体内に前記被梱包品と所定の一部の付属品を除く他の付属品とを収納してなる前記箱体パケットを用意し、第２の発送元に向けて出荷する工程と、前記第２の発送元で、前記第１の発送元から送られて来た前記箱体パケットの前記ポケット入口部を開けて、該ポケット入口部を介して内側の前記収納部に前記所定の一部の付属品を収納し、これにより前記被梱包品とすべての付属品を収納してなる箱体パケットを完成させる工程と、前記完成された箱体パケットを、前記第２の発送元から所定の仕向け地に向けて出荷する工程とを具備することを特徴とする。
【０００８】
例えば、収納部に収納する付属品として、各国毎にそれぞれの言語で書かれた取扱説明書を別々に収納するものとすると、収納部に収納すべき取扱説明書は空のままで、全世界共通の被梱包品収納済みの箱体パケットを集中生産することができ、製品生産効率を高めることができ、コストダウンにつなげることができる。そして、第１の発送元では、このような半完成の箱体パケットを、第２の発送元に送る。第２の発送元では、所定の国の言語で書かれた取扱説明書をポケット入口部を介して収納部に収納して、被梱包品とすべての付属品を収納してなる箱体パケットを完成させる。第２の発送元では、所定の付属品（例えば所定の国の言語で書かれた取扱説明書）のみを分担して収納することができるので、間違いのないように物流させることが極めて容易に行える。したがって、本発明によれば、従来技術の持っていた問題点をすべて解決することができる。
【０００９】
この発明の別の観点に係る物流方法は、被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流方法であって、前記箱本体内に前記被梱包品と所定の一部の付属品を除く他の付属品とを収納してなる前記箱体パケットを入荷する第１ステップと、前記第１ステップで入荷した前記箱体パケットの前記ポケット入口部を開けて、該ポケット入口部を介して内側の前記収納部に前記所定の一部の付属品を収納し、これにより前記被梱包品とすべての付属品を収納してなる箱体パケットを完成させる第２ステップと、前記完成された箱体パケットを、所定の仕向け地に向けて出荷する第３ステップとを具備することを特徴とする。
【００１０】
また、この発明に係る物流システムは、被梱包品及びその付属品を収納するための箱本体と、前記箱本体に設けられた開放可能に封鎖された構成のポケット入口部と、前記箱本体内において前記ポケット入口部の内側に対応して位置し、付属品を収納保持するための空間を有する収納部とを含んで構成される箱体パケットを使用する物流システムであって、前記箱本体内に前記被梱包品と所定の一部の付属品を除く他の付属品とを収納してなる前記箱体パケットを入荷し、入荷した箱体パケットを複数グループに分ける手段と、各グループに分けられた箱体パケットに対して、該箱体パケットの前記ポケット入口部を開けて、該ポケット入口部を介して内側の前記収納部に当該グループに割り当てられた所定のタイプの前記所定の一部の付属品を収納する手段とを具備し、こうして前記被梱包品とすべての付属品を収納してなる完成された箱体パケットを、各グループ毎に所定の仕向け地に向けて出荷するようにしたことを特徴とする。
【発明を実施するための最良の形態】
【００１１】
以下、この発明の実施例を添付図面を参照して詳細に説明する。
図１において、（ａ）はこの発明の一実施例に係る梱包箱の箱本体１を側面を上下にしてフラットに折り畳んだ状態を示す略図、（ｂ）は該箱本体１を立体的に組み上げた状態を示す略図である。この箱本体１は、被梱包品（図示せず）の形状及び大きさに応じた形状及び大きさを持つもので、通常は、積み重ね易さや取扱い易さを考慮して、組み上げた状態で立方体をなすような形状とするが、これに限らず、その他の形状（例えば円筒や多角柱）であってもよい。図１（ａ），（ｂ）では、立方体の２つの側面１ａ，１ｂが見えている。符号１ｃ，１ｄは上蓋、符号１ｅ，１ｆは下蓋（底）になるものである。（ａ）において、点線は、折り曲げ線を示す。箱本体１の少なくとも１つの側面１ｂの所定箇所には、開放可能に封鎖された構成のポケット入口部２が設けられている。該ポケット入口部２の開放可能に封鎖された構成とは、一例として、半破り構成であるとして以下説明する。箱本体１は、通常、段ボール紙製であり、このポケット入口部２は、段ボール紙から該箱本体１を加工する際に、適当な長さの切れ目（ミシン目）で加工形成することで、半破り構成に形成できる。なお、半破り構成とは、予め切れ目が入っていて、破り易くなっているという趣旨である。勿論、箱本体１の素材は段ボール紙に限らず、プラスチック等その他の素材であってもよい。勿論、箱本体１の外側、特に四つの各側面（１ａ，１ｂ）には、被梱包品（製品）の製品名、愛称、機種名や注意事項等が適宜記載（印刷）されている。この場合、図示例では、代表的な１つの言語（アルファベット文字）でのみ製品名が記載（印刷）されているが、これに限らず、複数の言語で併記されていてもよく、その方が好ましい。
【００１２】
図１（ｃ）は、側面１ｂに形成されたポケット入口部２の拡大図である。ポケット入口部２は、箱本体１の側面１ｂの所定箇所にて断続的な開口用切れ目２ｂにより形成された開き面２ａで構成され、該開き面２ａの略中央には更に小孔を穿つための小孔用切れ目２ｃが形成されている。このポケット入口部２を開ける場合は、小孔用切れ目２ｃの箇所に指を差し込むことで、小孔を容易に穿つことができ、該小孔に指を差し込んだ状態で開き面２ａを押し込むか又は手前に引くことで、開口用切れ目２ｂのつなぎ目が容易に破れ、こうしてポケット入口部２を開くことができる。このように、小孔用切れ目２ｃがあれば、ポケット入口部２が開け易くなるが、必須ではない。また、図の例では、開き面２ａの下辺と左右辺に切れ目２ｂを設け、上辺には切れ目２ｂがなく折り曲げ線のみとなっている。これにより、ポケット入口部２を開いた時に、開き面２ａが箱本体１から離脱されず、ドア式蓋のように開閉可能となる。これとは逆に、開き面２ａの下辺に切れ目２ｂを設けずに上辺と左右辺に切れ目２ｂを設けるようにしてもよい。あるいは、この例に限らず、開き面２ａの全辺に切れ目２ｂを設け、ポケット入口部２を開いた時に、開き面２ａが箱本体１から離脱するようにしてもよい。
【００１３】
図２は、箱本体１内に被梱包品及びその付属品を収納する状態の一例を示す分解図であり、この例では被梱包品は鍵盤式電子楽器製品である。この鍵盤式電子楽器製品は、次に述べるような複数の部分に分離した状態で箱本体１内に収納される。図中、１０ａは鍵盤式電子楽器の本体、１０ｂは鍵盤式電子楽器のペダル操作子ユニットを収納したペダルボックス、１０ｃは鍵盤式電子楽器の前板（フロントパネル）、１０ｄは鍵盤式電子楽器の裏板（リアパネル）、１０ｅは鍵盤式電子楽器の椅子を分解してパック化した椅子パック、１０ｆは鍵盤式電子楽器の左側板１０ｇと右側板１０ｈを収納した側板パック、である。なお、図中の（ａ）部は、側板パック１０ｆの分解図である。
【００１４】
立体的に組み上げられた箱本体１の内側に中箱３が配置され、その中に、所定の配置で、被梱包品たる鍵盤式電子楽器製品の上記各部分１０ａ〜１０ｈが、適宜の緩衝材等梱包補助部材を適宜介在させて、所定の配置で収納される。すべての被梱包品を箱本体１に収納した状態で、その上から、発泡スチロールあるいは再生紙成形素材などその適宜の素材で所定形状に成形された緩衝材４、５を配置収納し、被梱包品の移動及び／又は荷崩れを防ぐようにする。この緩衝材４、５の上面は、被梱包品たる鍵盤式電子楽器製品の残りの小物部品や、取扱説明書などその他付属品などを収納するための所定の空間を形成しうるように、所定形状に加工・形成されている。これら製品の小物部品及び取扱説明書などその他付属品などを含めて、単に「付属品」と総称することにする。これらの付属品（もしくは小物部品）としては、例えば、電源コード１１ａ、フロッピー（商標）ディスクドライブ１１ｂ、ヘッドフォンハンガーセット１１ｃ、本体製品組立て用のねじセット１１ｄ、ヘッドフォン１１ｅがある。さらに、この段階では箱本体１内に収納されない付属品（例えば取扱説明書）が一部存在するが、そのような一部の付属品（例えば取扱説明書）はこの段階では収納されないため、図２では図示されていない。このようなまだ収納されていない一部の付属品は追って述べるように、後で、追加的に収納される。よって、主たる被梱包品を箱本体１に収納する段階ではそれと一緒には収納されずに後で追加的に収納される一部の付属品を、便宜上、以下、「追加付属品」ということにする。
【００１５】
緩衝材４には、この追加付属品を収納保持するための空間を形成するよう収納部４ａが形成されている。図２中の（ｂ）部は、緩衝材４における収納部４ａの箇所の拡大断面略図である。緩衝材４における収納部は複数の段差を有し、各段に対応する収納部４ａ，４ｂの空間に複数種類の異なる付属品（又は小物部品）を収納しうるようになっている。上記複数の段差を有した構成にすることで、緩衝材が箱全体の補強の役目を果たし、ひいては、物流時における箱内の製品の破損困難性を高めるものとなるという利点もある。図の例では、下の段の収納部４ｂに電源コード１１ｂが収納され、上の段の収納部４ａは、「追加付属品」収納用の収納部であり、この段階では空である。この「追加付属品」収納用の収納部４ａは、追って収納しようとする「追加付属品」（例えば取扱説明書）の外形に見合ったスペースを形成しうるように、その収納目的に合わせて予め作成されるのは勿論である。箱本体１内における緩衝材４の収納配置は、該緩衝材４における「追加付属品」収納用の収納部４ａが、箱本体１のポケット入口部２に対応してその内側に位置するような所定の配置とされる。また、ポケット入口部２のサイズも、「追加付属品」収納用の収納部４ａの断面サイズに見合ったサイズとされ、ポケット入口部２の開き面２ａを破ったときにできる開口を介して収納部４ａの段にアクセスできるようなっている。なお、図示例では、緩衝材４の１つの段だけが「追加付属品」収納用の収納部４ａであるが、これに限らず、複数の段に対応する収納部４ａ，４ｂを、それぞれ異なる種類の「追加付属品」を収納するための収納部としてもよい。その場合は、ポケット入口部２の開き面２ａのサイズを幾分大きくして、それを破ったときにできる開口を介して、複数の段に対応する収納部４ａ，４ｂにアクセスできるサイズとすればよい。なお、ポケット入口部２から緩衝材４の収納部４ａへのアクセスの邪魔をしないように、中箱３におけるポケット入口部２に対応する箇所は開口３ａとなっているのは勿論である。
【００１６】
なお、図２の例では、箱本体１の側面において１箇所のみにポケット入口部２を設ける例が示されているが、これに限らず、箱本体１の側面の複数箇所（複数側面）にポケット入口部を設けるようにしてもよく、その場合は、それに対応して、緩衝材４，５における「追加付属品」収納用の収納部も複数箇所に設けられることになる。例えば、１つのポケット入口部２が設けられている側面と反対側の側面に別のポケット入口部を設けてもよく、そうすると、それに対応して、もう一方の緩衝材５においても「追加付属品」収納用の収納部が設けられることになる。
【００１７】
図３は、箱本体１内に被梱包品及びその付属品を収納する状態の別の例を示す分解図であり、被梱包品は上述と同様の（しかし仕様は少し異なる）鍵盤式電子楽器製品である。図３において、図２で示したものと同一符号は、同一機能の装置または部品又は部材を示す。図３に示す被梱包品は鍵盤式電子楽器製品は、前板１０ｃがなく、また、左右側板１０ｈ，１０ｇの形状も、図２のものとは幾分異なっており、各部分の収納の仕方も図２のものとは異なっている。特に、緩衝材４１，５１の形状が図２の緩衝材４，５とは幾分異なっており、それぞれに収納する付属品（または小物部品）の配置も異なっている。緩衝材４１において「追加付属品」収納用の収納部４１ａが、ポケット入口部２に対応する関係で設けられる点、及び、この収納部４１ａはこの段階では空であることは、上述と同様である。
【００１８】
図４は、箱本体１内に被梱包品及びその付属品を収納する状態の更に別の例を示す分解図であり、被梱包品は上述と同様の（しかし仕様は少し異なる）鍵盤式電子楽器製品である。図４において、図２で示したものと同一符号は、同一機能の装置または部品又は部材を示す。図４に示す被梱包品は鍵盤式電子楽器製品は、前板１０ｃ、裏板１０ｄ、左右側板１０ｈ，１０ｇがなく、代わりに、２つの前脚１０ｉ，１０ｊと１つの後脚１０ｋがあり、図中（ａ）の分解図で示すようにこれらは１つのパック１０ｌに詰め込まれている。また、ペダルボックス１０ｂは幾分小振りであり、図中（ｂ）の分解図で示すようにパック１０ｂ’に収納されている。これらのパック１０ｌ，１０ｂ’と椅子パック１０ｅ下部トレイ６に収納し、その上に適宜の緩衝材７ａ，７ｂを介在させて鍵盤式電子楽器の本体１０ａを配置収納する。本体１０ａの上に上部の緩衝材４２，５２を配置する。この緩衝材４２，５２形状も図２の緩衝材４，５とは幾分異なっており、それぞれに収納する付属品（または小物部品）の配置も異なっている。緩衝材４２において「追加付属品」収納用の収納部４２ａが、ポケット入口部２に対応する関係で設けられる点、及び、この収納部４２ａはこの段階では空であることは、上述と同様である。この例では、箱本体１において、１つのポケット入口部２が設けられている側面と反対側の側面に別のポケット入口部２０が設けられており、それに対応して、もう一方の緩衝材５２においても「追加付属品」収納用の収納部５２ａが設けられている。この段階では、もう一方の緩衝材５２の「追加付属品」収納用の収納部５２ａも空である。また、中箱３において、別のポケット入口部２０に対応する位置に開口３ｂが設けられている。
【００１９】
上記のような構造からなる梱包箱に所定の被梱包品及びその付属品を収納して所定の封をしてパック化したものを、便宜上、「箱体パケット」ということにする。
次に、そのような箱体パケットを用いて行う物流方法及びシステムの実施例につき、図５を参照して説明する。
【００２０】
箱本体１内に所定の被梱包品と所定の一部の付属品（追加付属品）を除く他の付属品とを収納してなる箱体パケット（以下、これを「略完成箱体パケット」という）は、例えば、該所定の被梱包品たる製品を生産した工場等でパック詰めされて出来上がる。第１の発送元１００には、そのような略完成箱体パケットＡ1〜Ａnが多数運び込まれ、ここを起点にして物流する。この第１の発送元１００は、該製品の生産工場内に設けられてもよいし、それに隣接した敷地内に設けられてもよいし、生産工場から適宜の距離だけ離隔した場所に設けられてもよいし、生産工場からかなり離隔した場所に設けられてもよい。
【００２１】
一例として、追加付属品は、製品の取扱説明書であるとし、この取扱説明書には、様々な言語で書かれた異なるタイプのものがあるものとする。そして、一例として、適宜の印刷所等で製作されたすべての異なるタイプの取扱説明書（追加付属品）が第１の発送元１００に多数運び込まれ、ここを起点にして物流するものとする。
【００２２】
第１の発送元１００では、１又は複数の第２の発送元２００に向けて、必要な数の略完成箱体パケットＡ1〜Ａnを、適宜の交通手段（船、飛行機、トラックなど）を用いて、出荷する。また、第１の発送元１００では、それぞれ同じ内容（言語）の取扱説明書（追加付属品）を複数個まとめて１つのパックに梱包（箱詰め）してなる追加付属品パックを作成し、複数タイプの内容（言語）からなる追加付属品パックＢ1〜Ｂiを準備する。そして、１又は複数の各第２の発送元２００に向けて、それぞれに適した追加付属品パックＢ1〜Ｂiを、適宜の交通手段（船、飛行機、トラックなど）を用いて、出荷する。なお、第２の発送元２００が１か所にしか設置されていない場合は、すべての追加付属品パックＢ1〜Ｂiが１か所の第２の発送元２００に送られる。しかし、異なる場所に複数の第２の発送元２００があり、しかも、各第２の発送元２００では製品仕向け先（出荷先国）が異なっている場合は、個々の第２の発送元２００毎に適したタイプの追加付属品パックＢ1〜Ｂiを、個々の第２の発送元に向けて出荷する必要があるのは勿論である。
【００２３】
第１の発送元１００で準備すべき略完成（半完成）箱体パケットＡ1〜Ａnと追加付属品パックＢ1〜Ｂiの内訳を例示すると次の通りである。被梱包品たる製品の総数をｎとすると、略完成箱体パケットＡ1〜Ａnの数は全部でｎである。追加付属品パックＢ1〜Ｂiでは、１パックにつきｋ個の追加付属品を箱詰めするとすると、追加付属品パックＢ1〜Ｂiの数ｉは、ｉ＝ｎ／ｋ個である。仕向け地（例えば国）の数をｍとし、各仕向け地を１〜ｍの順序数で区別してＹ1〜Ｙmで表わすとし、各仕向け地Ｙ1〜Ｙm向けの追加付属品パックＢ1〜Ｂiのパック数をそれぞれｊ1，ｊ2，ｊ3，…ｊmで表わすとすると、各仕向け地Ｙ1〜Ｙm向けの製品数はそれぞれ、ｋｊ1，ｋｊ2，ｋｊ3，…ｋｊmとなり、ｎ＝ｋｊ1＋ｋｊ2＋ｋｊ3＋…＋ｋｊm という関係になる。
【００２４】
第２の発送元２００では、第１の発送元１００から送られてきた略完成箱体パケットＡ1〜Ａn及び追加付属品パックＢ1〜Ｂiを入荷し、これを各仕向け地別に仕分けし、かつ、追加付属品パックＢ1〜Ｂiを開いて追加付属品（取扱説明書）を取り出し、これを略完成箱体パケットＡ1〜Ａn内に収納して箱体パケットを完成させる。
【００２５】
図６は、第２の発送元２００内の分配作業システムの構成例を示す略図である。箱体パケット分配部２０２では、入荷した略完成箱体パケットＡ1〜Ａnを、管理コンピュータ２０１の制御に従い、各仕向け地別の複数ｍのグループにそれぞれのグループに必要な数だけ分配する。管理コンピュータ２０１は、在庫管理及び仕分け管理及び／又は仕分け制御を受け持つコンピュータであって、通信網（インタネット等）３００に必要に応じて接続可能となっていて、通信網３００に接続された場合、第１の発送元１００に設置された（及び／又は所定の管理センタに設置された）管理コンピュータ３０１と管理データの送受を行うことができるように構成されている。
【００２６】
例えば、第２の発送元２００に入荷された個々の略完成箱体パケットＡ1〜Ａn及び追加付属品パックＢ1〜Ｂiは、パケット単位及びパック単位で固有ＩＤ（ＩＤ番号）を付けて管理されるようになっており、この固有ＩＤ（ＩＤ番号）は、第１の発送元１００で付与されてそれぞれのパケット及びパックにバーコード等に付されていて、入荷した段階でバーコード等の固有ＩＤ（ＩＤ番号）を第２の発送元２００で読み取って管理コンピュータ２０１にロードするようにしてよい。その場合、第２の発送元２００でのバーコード等の読み取り手間を省略するために、第１の発送元１００から第２の発送元２００に入荷する実際の略完成箱体パケットＡ1〜Ａn及び追加付属品パックＢ1〜Ｂiの同定は所定ロット単位で行い、それぞれの固有ＩＤ（ＩＤ番号）の情報は当該ロット情報と共に、第１の発送元１００の管理コンピュータ３０１から第２の発送元２００の管理コンピュータ２０１に伝送するようにしてもよい。また、別の例としては、略完成箱体パケットＡ1〜Ａn及び追加付属品パックＢ1〜Ｂiが入荷した段階で、第２の発送元２００でそれぞれのパケット及びパックに固有ＩＤ（ＩＤ番号）を付与するようにしてもよい。
【００２７】
これらの固有ＩＤ（ＩＤ番号）を利用して、例えば、第２の発送元２００の管理コンピュータ２０１では、「仕向け地Ｙ1〜Ｙmのどこに、何を（略完成箱体パケットＡの種別とそれに対応する追加付属品パックＢの種別：注記＝第２の発送元２００では１品種に限らず多品種の製品の仕分けと出荷を行うので）、いくつ、かつ略完成箱体パケットＡと追加付属品パックＢの各固有ＩＤは何番から何番まで、というように、箱単位でつまり略完成箱体パケット単位及び追加付属品パック単位で、管理する。そして、これらが仕向け地に出荷されると、それと同時に、出荷されたことを示すステージ情報及び上記種別情報、個数情報、ＩＤ情報などを通信網３００を介して管理コンピュータ３０１に伝送し、かつ、それらの情報を第１の発送元１００の管理コンピュータ３０１及び第２の発送元２００の管理コンピュータ２０１のＲＡＭ１，ＲＡＭ２に記憶し、更に、ハードディスク等の保存用メモリに更新・蓄積記憶する。また、次回の出荷時には、前回データと照合して、合算された在庫管理が行われる。勿論、第１の発送元１００の管理コンピュータ３０１からは、第２の発送元２００の管理コンピュータ２０１へ、荷の発送時に、荷づめが終わり発送完了したこと又は発送直前であることを示すステージ情報と共に上記種別情報、個数情報、ＩＤ情報などが通信網３００を介して伝送されることも行われる。
【００２８】
なお、第２の発送元２００の管理コンピュータ２０１は、各仕向け地Ｙ1〜Ｙm向けの追加付属品パックＢ1〜Ｂiのパック数ｊ1，ｊ2，ｊ3，…ｊmの情報を受け取り、これに基づき各仕向け地（各グループ）Ｙ1〜Ｙm向けの製品数ｋｊ1，ｋｊ2，ｋｊ3，…ｋｊmを割り出し／又は知得し、それぞれの仕向け地（グループ）に必要な数だけの略完成箱体パケットＡ1〜Ａnを自動的に分配するよう分配部２０２を制御することも行う。なお、この例に限らず、この分配制御は、コンピュータ２０１によらずに、人手で行うようにしてもよい。
【００２９】
分配部２０２で各グループ（仕向け地）別に分配された略完成箱体パケットは、ベルトコンベアあるいはその他の自動搬送手段等を介して、各グループ（仕向け地）別の追加挿入作業場２０３−１乃至２０３−ｍに送られる。また、入荷した追加付属品パックＢ1〜Ｂiも、追加付属品パック分配部２０４により、それぞれのパックが含む追加付属品の内容（取扱説明書の使用言語）に対応して、ベルトコンベアあるいはその他の自動搬送手段等を介して、各グループ（仕向け地）別の追加挿入作業場２０３−１乃至２０３−ｍに送られる。この分配部２０４の動作は、前述のように管理コンピュータ２０１の制御により自動化される。例えばパックＢ1〜Ｂiに付された識別情報を自動読み取りすることに基づき、各グループ（仕向け地）別に自動的に分配できる。なお、この例に限らず、この分配制御も、自動化せずに人手で行ってもよい。
【００３０】
追加挿入作業場２０３−１乃至２０３−ｍでは、それぞれに分配された追加付属品パックＢ1〜Ｂiの梱包を解いて個々の追加付属品を取り出し、この追加付属品を、それぞれに分配された略完成箱体パケットに対して、前記ポケット入口部２（及び／又は２０）を介して挿入・収納する作業を行う。例えば、図１（ｃ）を参照して前述したような要領で、該箱体パケットのポケット入口部２を破り開けて、該ポケット入口部２を介して内側の収納部４ａ（４１ａ，４２ａ）に該追加付属品（取扱説明書）を挿入して収納する。図５中の（ａ）部には、この追加挿入作業の様子を略図で示してあり、Ａは略完成箱体パケット、ｂは追加付属品（取扱説明書）である。こうして被梱包品（製品）とすべての付属品を収納してなる完成された箱体パケットＡｂが完成する。その後、完成箱体パケットＡｂのポケット入口部２をテープ３０で塞ぐようにするとよく、これにより、追加付属品の挿入収納作業が終わったことが一目で分かる。このテープ３０は、作業場２０３−１乃至２０３−ｍに用意しておいてもよいし、あるいは、個々の略完成箱体パケットの外側面に付属させておいて、即座に貼り付け作業が行えるようにしてもよい。なお、追加付属品の挿入収納作業が終わったことが一目で分かるようにするために、テープ３０で塞ぐこと以外の手段（例えば、適宜のマーキングを付する）を用いてもよい。
【００３１】
この変形例として、ポケット入口部２の外側に予め繰返し使用可能な粘着テープ（３０）を貼っておき、追加付属品の挿入・収納する作業に際して、一旦、この粘着テープ（３０）を剥がして該作業を行い、その後、再び該粘着テープ（３０）を貼るようにしてもよい。
また、別の変形例として、ポケット入口部２の外側に予めテープを貼っておく場合に、一旦貼ったテープを剥がすと、下地の紙（箱本体１の紙）も一緒に剥がれるような強い粘着力のテープを使用するか、あるいは下地の紙（箱本体１の紙）の材質をそのような剥がれ易い材質とし、このテープを剥がして追加付属品の挿入・収納する作業を行った後は、最初に予め貼った前記テープの色とは異なる所定の色のテープ３０でポケット入口部２を塞ぐようにしてもよい。そのようにすれば、半完成箱体パケットの流通過程で、ポケット入口部２に予め貼ってあるテープを不正に剥がして、爆弾やその他異物が不正に挿入されたとしても、すぐにそのことが分かるので、不正／安全対策上、都合がよい。
【００３２】
なお、追加挿入作業場２０３−１乃至２０３−ｍでの追加付属品の挿入・収納作業は、人手によらずに、または極力人手を軽減するよう、ロボット等により自動化するようにしてもよい。また、追加挿入作業場２０３−１乃至２０３−ｍを各仕向け地別に設けずに、共通の追加挿入作業場で追加付属品の挿入・収納作業を行い、その後、完成箱体パケットＡＢを各仕向け地別に仕分け・分配するようにしてもよい。
上述の分配部２０２，２０４における仕分け・分配操作をロボット等で自動化したり、上述の追加付属品の挿入・収納作業をロボット等で自動化したりする場合は、ロボット制御に関連する各種制御データ等が上記管理データとリンクするようにしてよい。例えば、ロボットが仕分けあるいは挿入・収納作業を終了したら、同時に管理データが適宜更新される、というようなリンク形態を採用するとよい。
【００３３】
こうして、追加付属品の挿入・収納作業と各仕向け地別の仕分けとが完了すると、完成した箱体パケットは、各仕向け地Ｙ1〜Ｙmに向けて、それぞれ適宜の交通手段を介して、出荷・発送される。各仕向け地Ｙ1〜Ｙmとしては、当該製品の仕様が共通する地域（国）あるいは個別ディーラーあるいはユーザの集合体など、適宜に定めてよい。少なくとも、同じ仕向け地には、同じ仕様の追加付属品を収納してなる完成箱体パケットが出荷される。
【００３４】
なお、追加付属品の対象となりうる付属品（または小物部品）のタイプとしては、取扱説明書のような文書類に限らず、各国／各地域の電気供給環境に応じた所定形状のプラグを先端に有する電源供給コードや、各国／各地域の商用電圧環境に応じた交流直流コンバータなどであってもよく、また、特定の国／地域によってはフレキシブル磁気ディスクを標準部品として付属させるというような製品仕様上の要請に基づく各種部品など（フレキシブル磁気ディスクなど）であってもよい。また、追加付属品となる文書類は、取扱説明書に限らず、楽譜などであってもよい。
【００３５】
上記実施例では、追加付属品を第１の発送元１００で用意したが、これに限らず、第２の発送元２００で用意してもよい。その場合は、第１の発送元１００から第２の発送元２００に出荷されるのは半完成箱体パケットＡ1〜Ａnのみであってよい。例えば、適宜の場所に世界共通の１つの第２の発送元２００を設定し、各国向けの異なる取扱説明書を適宜の印刷所で作成してこれを当該第２の発送元２００に入荷し、その後は、上述と同様に、追加付属品の挿入・収納作業と各仕向け地別の仕分け及び各仕向け地向け出荷等の処理を行うようにしてよい。あるいは、特定の国の物流拠点となる場所を第２の発送元２００として設定し、その国にてその国専用の取扱説明書を印刷作成して、該物流拠点（第２の発送元２００）に入荷するようにしてもよい。その場合、第２の発送元２００では、その国内の１又は複数のディーラー等を仕向け地として設定して、完成した箱体パケットを出荷する。
【００３６】
なお、上記実施例では、箱本体１に設けられるポケット入口部２の開放可能に封鎖された構成として、ミシン目のような半破り構成を採用する例について述べたが、これに限らない。例えば、箱本体１の側面において、ポケット入口部２の開口を予め開けておき、そこに所定の色（例えば黄色のような注意色で未収納品があることを強調する）の第１のシールを貼付ることで、半封印構成とし、これにより、開放可能に封鎖された構成を実現するようにしてもよい。つまり、開口したポケット入口部２はシールによって封鎖（封印）されており、かつ、第１のシールを剥がすことで容易に開放できる構成（開放可能な構成、つまり半封印構成）となる。そして、第１のシールを剥がしてポケット入口部２の開口を開けて、その中に所定の追加付属品を挿入した後には、別の第２のシールをポケット入口部２に貼って、追加挿入作業完了を示すようにするとよい。例えば、第２のシールは、サイズと色が第１のシールとは異なっているとよい。例えば、サイズを大きくして視認しやすくし、色は緑色のように安心感を表わす（作業完了を表わす）ようにするとよい。なお、この場合、少なくとも第１のシールには、製品名や機種名あるいは追加挿入すべき付属品名などを印刷しておき、作業者の注意を促すようにするとよい。
【００３７】
また、箱本体１に設けられるポケット入口部２の開放可能に封鎖された構成の別の例としては、箱本体１の側面におけるポケット入口部２の部分の紙の厚みを他の部分よりも薄くして容易に破り易くするようにした構成であってもよい。例えば、箱本体１を段ボール紙で構成する場合、ポケット入口部２が開口すべき形状で段ボール紙の中間層と下部層を欠落させ上部シートのみで該開口すべき部分をカバーさせるようにし、該上部シートに開口形状を示す印刷表示を付すようにするとよい。これにより、封鎖されていながら、その部分を手等で容易に破ることができるものとなり、「開放可能に封鎖された構成」となる。この場合も、ポケット入口部２を開けてその中に所定の追加付属品を挿入した後には、適宜のシール又は粘着テープをポケット入口部２に貼って、追加挿入作業完了を示すようにするとよいのは上記各実施例と同様である。
【図面の簡単な説明】
【００３８】
【図１】（ａ）はこの発明の一実施例に係る梱包箱の箱本体をフラットに折り畳んだ状態を示す略図、（ｂ）は該箱本体を立体的に組み上げた状態を示す略図、（ｃ）は箱本体の側面に設けるポケット入口部の拡大図。
【図２】箱本体内に被梱包品及びその付属品を収納する状態の一例を示す分解図。
【図３】箱本体内に被梱包品及びその付属品を収納する状態の別の例を示す分解図。
【図４】箱本体内に被梱包品及びその付属品を収納する状態の更に別の例を示す分解図。
【図５】この発明に従う箱体パケットを用いて行う物流方法及びシステムの一実施例を示す略図。
【図６】図５の第２の発送元における分配作業システムの構成例を示す略図。
【符号の説明】
【００３９】
１  箱本体
１ａ，１ｂ  側面
１ｃ，１ｄ  上蓋
１ｅ，１ｆ  下蓋（底）
２，２０  ポケット入口部
２ａ  開き面
２ｂ  開口用切れ目
２ｃ  小孔用切れ目
４，４１，４２，５，５１，５２  緩衝材
４ａ，４１ａ，４２ａ，５２ａ  収納部
Ａ1〜Ａn  略完成箱体パケット
Ｂ1〜Ｂi  追加付属品パック
２０１，３０１  管理コンピュータ
【図１】
2005255214.tif 000003
【図２】
2005255214.tif 000004
【図３】
2005255214.tif 000005
【図４】
2005255214.tif 000006
【図５】
2005255214.tif 000007
【図６】
2005255214.tif 000008